(57)【要約】【課題】埋設式の照明器具を天井に確実に固定可能であり、且つ取付作業の容易化が可能な照明装置を提供することである。【解決手段】照明装置１は、固定具２とダウンライト３０を有している。ダウンライト３０を天井２０に固定するための固定具２は、円板状であり、突出部４と係止爪５とを有している。固定具２の略中心には、固定具２の表面と裏面とを貫通している貫通孔３が設けられている。突出部４は、内側にネジ孔１０を有している。係止爪５は、固定具２から貫通孔３に向かって突出しており、さらに、係止爪５の先端６は、固定具２の裏面側に向かって延びている。【選択図】図３
2012134021.tif 000002
【特許請求の範囲】
【請求項１】
埋設式の照明器具を天井に固定具により固定してなる照明装置であり、前記固定具は照明器具を挿通可能な貫通孔と、複数の係止爪と、ネジ孔とを有し、前記係止爪は貫通孔の内側に位置し且つ貫通孔を貫通する方向に延びていることを特徴とする照明装置。
【発明の詳細な説明】
【技術分野】
【０００１】
本発明は、照明装置に関し、さらに詳細には、天井に埋設式の照明装置に関する。
【背景技術】
【０００２】
天井に埋設式の照明器具であるダウンライトは、室内全体を照らすものではなく特定の箇所に明るさを供給するものである。一般的なダウンライトは、天井に埋め込む際に、ダウンライトの鍔部に設けられた孔に、木ネジ等を挿通して天井に固定される。一方、ユニットバス等で用いられている薄型の天井においては、天井自体が薄いため、天井には直にネジを係合させることができない。そのため、天井の裏側にナット等を配して、ネジとナットで天井を挟むことも考えられるが、作業者が一人の場合には、浴室側からネジを締めながら且つ天井裏側からナットを押さえることはできない。この対策として、予め製造工場にて、天井のダウンライトの取付位置にネジ受け部を用意する等の工夫がなされている。例えば、鋼板製の天井の場合にはナットを溶接し、樹脂製の天井の場合にはタッピングボスを成形しておく等である。
【０００３】
ところが、ユニットバス等の施工現場において、予め用意された位置以外にもダウンライトを増設したい、或いは位置の変更をしたいとの要望が出ることがある。この場合には、予め作り込んだ天井では対応することができない。
【０００４】
特許文献１には、天井に設けた開口に、簡単に取り付け可能なダウンライトが開示されている。特許文献１に記載のダウンライトは、２つの鉤状の固定具を天井の開口に係合させることで、取り付け可能とされたものである。つまり、ダウンライトの鍔部にネジを取り付ける必要がないため、施工現場においてダウンライトを増設したいとの要求が出た場合でも、一人の作業者で対応可能である。
【先行技術文献】
【特許文献】
【０００５】
【特許文献１】特開２００４−３６２９８９号公報
【発明の概要】
【発明が解決しようとする課題】
【０００６】
ところが、特許文献１に記載されたダウンライトは、２つの鉤状の固定具が天井の開口に引っ掛けられているだけであり、ダウンライトの自重だけで係合している。そのため、例えばユニットバスの天井に設置した場合、定期点検時に誤ってダウンライトに手が触れると、容易にダウンライトの位置がずれる恐れがある。或いは、揺れの小さな地震等でもダウンライトがずれることが懸念される。
【０００７】
そこで、本発明は、埋設式の照明器具を天井に確実に固定可能であり、且つ取付作業の容易化が可能な照明装置を提供することを目的とする。
【課題を解決するための手段】
【０００８】
上記課題を解決するための請求項１に記載の発明は、埋設式の照明器具を天井に固定具により固定してなる照明装置であり、前記固定具は照明器具を挿通可能な貫通孔と、複数の係止爪と、ネジ孔とを有し、前記係止爪は貫通孔の内側に位置し且つ貫通孔を貫通する方向に延びていることを特徴とする照明装置である。
【０００９】
本発明で採用する照明装置は、埋設式の照明器具と固定具を有している。固定具は、照明器具を挿通可能な貫通孔とネジ孔を有している。つまり、固定具は照明器具よりも大きな枠状部材である。この固定具を天井裏に配置し、天井の開口と貫通孔を略合致させる。そして、照明器具を天井の表側の開口を介して貫通孔に挿通した後、照明器具に挿通したネジ等と固定具のネジ孔とを係合させることで、照明器具を天井に固定できる。
【００１０】
また、固定具は、複数の係止爪を有している。複数の係止爪は、貫通孔の内側に位置し且つ貫通孔を貫通する方向に延びている。つまり、天井の開口と固定具の貫通孔が略同一の形状の場合には、複数の係止爪は開口に強固に係合可能である。すなわち、複数の係止爪を天井の開口に挿通するだけで、固定具の位置を仮止めすることができる。その結果、固定具を天井裏から押さる必要がなく、作業者が一人の場合でも、天井の表側から照明器具を天井に固定可能となる。
【発明の効果】
【００１１】
本発明の照明装置によれば、埋設式の照明器具を天井に確実に固定可能であり、且つ取付作業の容易化が可能である。例えば、規格品のユニットバスの天井において、施工現場で、埋設式の照明器具の増設を容易に行うことができる。或いは、予め開口を設けていない天井でも、施工現場で天井に開口を設けるだけで、埋設式の照明器具を確実に固定でき、且つ容易に設置できる。
【図面の簡単な説明】
【００１２】
【図１】本発明の照明装置を構成する固定具を示す斜視図である。
【図２】固定具が天井に装着された状態を示す斜視図である。
【図３】本発明の実施形態に係る照明装置が天井に固定された状態を示す断面図である。
【発明を実施するための形態】
【００１３】
以下、本発明の照明装置の実施形態について、図面を参照しながら詳細に説明する。なお、以下の説明は、実施形態の理解を容易にするためのものであり、これによって、本発明が制限して理解されるべきではない。
【００１４】
図１に示す固定具２は、本発明の実施形態に係る照明装置１を構成する部材であり、後述するダウンライト３０（埋設式の照明器具）を天井２０に固定するためのものである。固定具２は、円板状であり、突出部４と、係止爪５とを有している。固定具２の略中心には、固定具２の表面１５と裏面１６とを貫通している貫通孔３が設けられている。なお、固定具２は、鋼鈑で形成しても良く、或いは合成樹脂で形成しても構わない。
【００１５】
突出部４は、固定具２の表面１５に３つ設けられている。３つの突出部４は、固定具２の表面１５（３６０度）において、約１２０度ずつずれて位置している。突出部４は、内側にネジ孔１０を有している。なお、突出部４は、固定具２が鋼鈑で構成される場合にはバーリング加工で形成されることが好ましく、固定具２が合成樹脂で構成される場合にはタッピングボスとして一体的に成形されることが好ましい。
【００１６】
係止爪５は、固定具２の貫通孔３の内側に３つ設けられている。３つの係止爪５は、貫通孔３（３６０度）において、約１２０度ずつずれて位置している。また、各係止爪５は、各突出部４同士の略真ん中に位置している。
【００１７】
係止爪５は、固定具２から貫通孔３に向かって突出しており、さらに、係止爪５の先端６は、固定具２の裏面１６側に向かって延びている。換言すれば、係止爪５は、略Ｌ字状を成しており、先端６は貫通孔３を貫通する方向に延びている。
【００１８】
つぎに、天井２０への固定具２の取付状態について図２を用いて説明する。
【００１９】
図２に示すように、後述するダウンライト３０が取り付けられる天井２０は、表面２３側に鋼鈑層２１を有し、裏面２４側に石膏ボード層２２を有している。鋼鈑層２１には貫通孔２５が設けられ、石膏ボード層２２には取付穴２６が設けられている。座ぐり加工等で形成される取付穴２６は、貫通孔２５よりも一回り程度大きい。取付穴２６には、固定具２が丁度納まっており、固定具２の貫通孔３と天井２０の貫通孔２５とは、略重なっており、略同一の径を有している。つまり、固定具２の係止爪５の先端６は、天井２０の貫通孔２５に強固に係合している。換言すれば、固定具２は、天井２０に強固に仮止めされている。
【００２０】
つぎに、本発明の実施形態に係る照明装置１が天井２０に固定された状態について図３を用いて説明する。なお、図３においては、ダウンライト３０は断面図示していない。
【００２１】
図３に示すように、照明装置１は、固定具２とダウンライト３０（埋設式の照明器具）を有している。ダウンライト３０は、天井２０に設けられた貫通孔２５側から取付穴２６側に向けて挿通されて埋め込まれている。ダウンライト３０の鍔部３１は、天井２０の表面２３に当接している。鍔部３１に設けられた孔３２には、ネジ４０が挿通されている。ネジ４０は、鋼鈑層２１に設けられた孔２７を介して、固定具２に設けられた突出部４のネジ孔１０に強固に係合している。
【００２２】
なお、図３内に仮想線（二点鎖線）で図示した通り、照明装置１に、ダウンライト３０の鍔部３１やネジ４０等を隠すための化粧カバー５０を設けても構わない。化粧カバー５０は、従来公知の板バネ（図示を省略する）をダウンライト３０に設けられた切り欠き等に挿通させるだけで、ダウンライト３０に係止可能なものである。
【００２３】
前述の通り、ネジ孔１０を備えた固定具２は、天井２０に強固に仮止めできることから、ダウンライト３０を天井２０に取り付ける際に、固定具２を天井２０の裏面２４側から押さえる必要がない。その結果、ダウンライト３０を天井２０の表面２３側から取り付ける際に、作業者一人で設置することができる。
【００２４】
本実施形態の照明装置１においては、固定具２に突出部４および係止爪５を３つずつ設ける例を示したが、本発明はこれに限定されるものではない。例えば、係止爪５を２つ設け、突出部４を１つだけ設けても構わない。
【符号の説明】
【００２５】
１    照明装置
２    固定具
３    貫通孔
５    係止爪
１０    ネジ孔
２０    天井
３０    ダウンライト（埋設式の照明装置）
【図１】
2012134021.tif 000003
【図２】
2012134021.tif 000004
【図３】
2012134021.tif 000005